(57)【特許請求の範囲】
【請求項１】
放送波から選局放送信号を選局するチューナと、
このチューナからの前記選局放送信号を復号して映像データ及び音声データを再生するデコーダ手段と、
このデコーダ手段へクロック信号を供給するクロック手段と、
前記クロック信号の供給を制御する制御手段とを有した携帯デジタル放送受信機であって、
前記チューナは、前記放送波の受信レベルを検出し、
前記制御手段は、前記チューナからの前記受信レベルの値が基準レベルの値より小さいときに、前記デコーダ手段への前記クロックの供給を停止し、
前記デコーダ手段が、前記放送波から変調方式及び符号化率を検出するＴＭＣＣ復号部を有し、
このＴＭＣＣ復号部が、前記放送波の変調方式及び／又は符号化率が切り替えられたことを示す割り込み信号を前記制御手段へ送り、
前記制御手段が、前記割り込み信号の示す切替後の変調方式及び符号化率の組合せに対応した基準レベルを記憶手段から取り出し、かつ、この取り出した前記基準レベルの値よりも前記受信レベルの値が小さいときに、前記デコーダ手段への前記クロックの供給を停止する
ことを特徴とする携帯デジタル放送受信機。
【請求項２】
前記デコーダ手段への前記クロックの供給が停止された後、前記受信レベルの値が前記基準レベルの値よりも大きくなったときは、前記制御手段が、前記デコーダ手段への前記クロックの供給を再開する
ことを特徴とする請求項１記載の携帯デジタル放送受信機。
【発明の詳細な説明】
【０００１】
【発明の属する技術分野】
本発明は、携帯デジタル放送受信機に関し、特に、地上波デジタルテレビジョン放送の受信機、および地上波デジタルラジオ放送の受信機に適用して好適な携帯デジタル放送受信機に関する。
【０００２】
【従来の技術】
携帯デジタル放送受信機は、固定式のデジタル放送受信機と異なり、ユーザが、徒歩等で移動しながら、あるいは交通機関の車両等に乗車しながら利用することが多い。
この携帯デジタル放送受信機は、放送局のサービスエリア内においては、通常、放送局からの電波（放送波）を正常に受信する。
【０００３】
ところが、その受信状態は、ビル影やトンネル内などといった周囲の環境の変化にともなって、大きく変動することがある。
この変動により、受信状態が悪化すると、携帯デジタル放送受信機においては、正常な映像や音声が得られないだけでなく、無駄な電力が消費されることとなる。
特に、電池式の携帯デジタル放送受信機においては、消費電力を極力少なくすることが課題となるため、無駄な電力の消費は大きな問題となっている。
【０００４】
この問題を解決する手法として、従来から種々の改良が提案されている。
たとえば、受信状態が悪化した場合、すなわち受信強度が弱い場合に、この受信強度変動によるＡＭ復調回路の誤動作を改善して省電力化を図る従来技術の一例が、特開２００１−７７２０号公報に電波ビーコン受信機として開示されている。
【０００５】
この公報に開示の電波ビーコン受信機は、アンテナから入力された高周波信号の強さを電界強度検出手段で検出し、この検出した電界強度が基準レベル（ＡＭ復調回路が正常動作しないレベル）以下である場合に、ＡＭ復調回路の電源をＯＦＦにして、このＡＭ復調回路の動作を停止させることとしている。
このような構成により、従来の電波ビーコン受信機は、ＡＭ復調回路の誤動作を防止でき、かつ無駄な電力消費を抑制できる。
【０００６】
また、デジタル放送受信機において発生する無駄な消費電力の抑制を図る従来技術の他の一例が、特開平１１−００８６０１号公報にデジタル放送の受信機として開示されている。
この公報に開示のデジタル放送の受信機は、受信したデジタル信号に同期がとれているか否かを検出する検出回路を設けることにより、同期が外れたことを示す検出信号にもとづき、デコーダ回路及びこの回路以降の回路のクロックによる動作を停止させる構成としてある。このような構成により、無駄な電力消費の抑制が可能となる。
【０００７】
【発明が解決しようとする課題】
しかしながら、従来の電波ビーコン受信機の方法では、デジタル放送受信機のデジタル復調回路を構成するデジタル信号処理ＬＳＩが、電源投入時や受信チャンネル設定時において、さまざまな内部設定を必要とするため、デジタル復調回路の電源をＯＦＦにした後、受信強度の改善等により、その電源をＯＮにしたときは、改めてその内部設定を行う必要があった。
したがって、従来の電波ビーコン受信機の方法では、デジタル放送受信機においては、受信強度が改善しても、速やかに復帰させることができない。
【０００８】
また、従来の電波ビーコン受信機の方法では、デジタル放送受信機においては、回路が複雑になるため、小型軽量化やコストダウンが困難である。
特に、デジタル信号処理ＬＳＩのＣＭＯＳ回路においては、ラッチアップ現象による故障や無駄な電力消費を防止するため、電源がＯＮになっている回路と、電源をＯＦＦにする回路との間に電流が流れないように、デジタル信号処理ＬＳＩのもつ多数の入出力信号にそれぞれスイッチ手段を挿入する必要が生じる。このため、部品点数の増加、回路規模の拡大をまねき、回路を複雑化させる。
【０００９】
さらに、従来の電波ビーコン受信機の方法では、デジタル放送受信機においては、デジタル放送の放送業者により放送チャンネルごとあるいは番組ごとに設定される伝送パラメータ（たとえば、ＱＡＭやＰＳＫ等の変調方式や符号化率の値など）の相違に対応できない。
なぜなら、復調回路が正常動作するために必要な受信強度は、伝送パラメータによって相違し、伝送パラメータの切り替えにともなう基準レベルの切り替え処理が講じられていないからである。
【００１０】
一方、従来のデジタル放送の受信機は、受信デジタル信号の同期がずれている場合に、デコーダ手段以降の回路の動作を停止させることで、無駄な電力消費を抑制する効果を奏している。
ところが、受信デジタル信号の同期がとれている場合であっても正常な出力が得られないことも起こり得るため、その効果が十分ではなかった。
【００１１】
たとえば、受信レベルが低い場合に同期がとれていても、受信デジタル信号をデコードした際のエラー率が、デコーダ手段以降の回路で正常な出力を得るために必要なエラー率の上限値を上回ってしまう場合があった。
この場合は、正常な出力が得られないだけでなく、デコーダ回路やこれ以降の回路で電力が無駄に消費されてしまうため、その従来のデジタル放送の受信機における効果は十分ではないという問題があった。
【００１２】
本発明は、上記の問題を解決すべくなされたものであり、環境変化等による受信状態の悪化にともなって正常な音声・映像出力が得られない場合に、内部回路における無駄な電力消費の抑制を、簡易な構成で、内部状態を保持したまま実現するとともに、受信強度が回復したときの音声・映像出力の復帰時間を短縮でき、かつ、複数の伝送パラメータの切り替わりにも対応可能な携帯デジタル放送受信機の提供を目的とする。
【００１３】
【課題を解決するための手段】
この目的を達成するため、本発明の請求項１記載の携帯デジタル放送受信機は、放送波から選局放送信号を選局するチューナと、このチューナからの選局放送信号を復号して映像データ及び音声データを再生するデコーダ手段と、このデコーダ手段へクロック信号を供給するクロック手段と、クロック信号の供給を制御する制御手段とを有した携帯デジタル放送受信機であって、チューナは、放送波の受信レベルを検出し、制御手段は、チューナからの受信レベルの値が基準レベルの値より小さいときに、デコーダ手段へのクロックの供給を停止し、デコーダ手段が、放送波から変調方式及び符号化率を検出するＴＭＣＣ復号部を有し、このＴＭＣＣ復号部が、放送波の変調方式及び／又は符号化率が切り替えられたことを示す割り込み信号を制御手段へ送り、制御手段が、割り込み信号の示す切替後の変調方式及び符号化率の組合せに対応した基準レベルを記憶手段から取り出し、かつ、この取り出した基準レベルの値よりも受信レベルの値が小さいときに、デコーダ手段へのクロックの供給を停止する構成としてある。
【００１４】
携帯デジタル放送受信機をこのような構成とすると、放送波の受信レベルの値が基準レベルの値より小さい場合には、デコーダ手段以降の回路へのクロックの供給が停止されるため、正常な出力が得られない場合のそのデコーダ手段以降の回路における無駄な電力消費を抑制できる。
【００１５】
さらに、従来の電波ビーコン受信機においては、デジタル復調回路の動作の停止を、そのデジタル復調回路の電源をＯＦＦにすることで実現していたため、受信強度が改善すると設定処理（初期設定）をし直す必要があったものの、本発明においては、デコーダ手段以降の回路における動作の停止を、その回路へのクロック信号の供給を停止することで実現するため、受信強度が改善したときの設定処理を改めて行う必要がなくなる。
【００１６】
すなわち、本発明においては、デコーダ手段以降の回路における動作の停止を、その回路の電源をＯＦＦにせずに実現するため、その回路を構成するデジタル信号処理ＬＳＩの内部状態は、放送波の受信強度の低下にともなって消滅することはなく保持される。このため、受信強度が改善したときの設定処理を改めて行う必要がなくなる。
したがって、放送波の受信強度が回復したときの、映像出力や音声出力の復帰時間を短縮できる。
【００１７】
そして、クロック信号の供給を停止することでデコーダ手段以降の回路の動作を停止させているため、ＣＭＯＳ回路のラッチアップ現象による故障の防止や無駄な電力消費を抑制するために用いていた従来のスイッチ手段が不要となる。このため、回路の部品点数を減少できることから、回路の簡素化、小型軽量化及びコストダウンが可能となる。
加えて、デコーダ手段以降の回路へのクロック信号の供給を放送波の受信レベルにもとづいて制御するため、基準レベルを、その放送波の伝送パラメータ（変調方式や符号化率などの組合せ）ごとに設定しておくことで、その変調方式等の相違に対応できるようになる。
【００１８】
さらに、放送波の同期がとれている場合であっても、この放送波の受信レベルが正常な音声・映像出力の得られる程度のレベルにない場合には、デコーダ手段以降の回路へのクロック信号の供給を停止して、そのデコーダ手段以降の回路における無駄な電力消費を抑制できる。
【００１９】
特に、従来のデジタル放送の受信機においては、受信デジタル信号の同期がとれていない場合に、デコーダ手段以降の回路の動作を停止していたものの、受信デジタル信号の同期がとれていた場合であっても、実際には、受信レベルが低いために正常な出力が得られず、このために、デコーダ手段以降の回路における無駄な電力消費が発生していた。
これに対し、本発明の携帯デジタル放送受信機は、受信レベルが基準レベルよりも低い場合に、デコーダ手段以降の回路における動作の停止を実現していることから、その従来のデジタル放送の受信機よりも大きな電力消費低減の効果が期待できる。
【００２０】
さらに、携帯デジタル放送受信機をこのような構成とすると、放送波の変調方式や符号化率が、放送チャンネルや番組内容の変更等にもとづき切り替えられた場合に、この切り替えられた旨を示す割り込み信号が、デコーダ手段から制御手段へ通知されるため、この制御手段においては、その割り込み信号にもとづき新たに基準レベルを設定して受信レベルとの比較処理を実行できる。
つまり、制御手段は、定期的に変調方式や符号化率を監視する必要がなくなる。したがって、制御部における動作の効率化を図ることができる。
【００２８】
また、請求項２記載の携帯デジタル放送受信機は、デコーダ手段へのクロックの供給が停止された後、受信レベルの値が基準レベルの値よりも大きくなったときは、制御手段が、デコーダ手段へのクロックの供給を再開する構成としてある。
携帯デジタル放送受信機をこのような構成とすれば、放送波の受信レベルが、正常な音声出力及び映像出力を得るのに十分なレベルにまで回復すると、デコーダ手段へのクロックの供給が、制御手段により再開されるため、制御手段は、その受信レベルが基準レベルを下回っている場合においてのみ、デコーダ手段以降の回路へのクロック信号の供給を停止できる。
【００２９】
さらに、デコーダ手段へのクロック信号の供給制御が、制御手段における放送波の受信レベルと基準レベルとの比較の結果にもとづいて実行されるため、正常な音声出力及び映像出力が得られない場合におけるデコーダ手段以降の回路での無駄な電力消費の抑制を、簡易な構成で実行できる。
【００３０】
【発明の実施の形態】
以下、本発明の実施の形態について、図面を参照して説明する。
［第一実施形態］
まず、本発明の携帯デジタル放送受信機の第一の実施形態について、図１を参照して説明する。
同図は、本実施形態の携帯デジタル放送受信機の構成を示すブロック図である。
【００３１】
同図に示すように、携帯デジタル放送受信機１０は、チューナ１１と、アンテナ１２と、ＯＦＤＭ復調器１３と、ＭＰＥＧデコーダ１４と、ＶＲＡＭ１５と、表示部１６と、Ａ／Ｄコンバータ１７と、クロック１８と、ＣＰＵ１９と、メモリ２０とを有している。
【００３２】
ここで、チューナ１１は、アンテナ１２で受信された放送波を受信放送波として入力すると、ＣＰＵ１９から指定放送チャンネル信号（放送チャンネルを指定する信号）を受け取る。そして、この指定放送チャンネル信号により指定された放送チャンネルの信号を受信放送波から選局し、選局放送信号としてＯＦＤＭ復調器１３へ送る。
また、チューナ１１は、選局放送信号の受信強度を検出し、この検出した受信強度に対応する電圧を受信強度検出信号として、Ａ／Ｄコンバータ１７へ送る。
【００３３】
ＯＦＤＭ復調器１３（直交周波数分割多重復調器、以下、略して復調器１３という）は、ＴＭＣＣ復号部１３１と、ＴＳ復調復号部１３２と、図示しないその他の処理部とを有している。
ＴＭＣＣ（Ｔｒａｎｓｍｉｓｓｉｏｎ  Ｍｕｌｔｉｐｌｅｘｉｎｇ  Ｃｏｎｆｉｇｕｌａｔｉｏｎ  Ｃｏｎｔｒｏｌ）復号部１３１は、チューナ１１から選局放送信号を受け取り、この選局放送信号からＴＭＣＣ情報を復号し、このＴＭＣＣ情報をＴＳ復調復号部１３２へ供給する。
【００３４】
ＴＭＣＣ信号は、伝送多重制御信号であって、階層伝送に関する情報や各階層の伝送パラメータ情報（変調方式、符号化率など）やＯＦＤＭセグメントに関する情報などを含んでいる。
また、ＴＭＣＣ復号部１３１のＴＭＣＣ情報は、コントロールバス２１を介してＣＰＵ１９からも読み取られる。
【００３５】
ＴＳ（Ｔｒａｎｐｏｒｔ  Ｓｔｒｅａｍ：伝送ストリーム）復調復号部１３２は、チューナ１１から選局放送信号を、また、ＴＭＣＣ復号部１３１からＴＭＣＣ情報をそれぞれ受け取る。
そして、ＴＳ復調復号部１３２は、ＴＭＣＣ情報に含まれている変調方式情報にもとづいて復調方式を切り替え、選局放送信号からＴＳ信号（伝送ストリーム信号）を復号する。
【００３６】
なお、その他の処理部としては、たとえば、同期外れ検出部を設けることができる。
同期外れ検出部（図示せず）は、選局放送信号の同期がとれているか否かを検出し、同期がとれていない場合には、同期外れ信号をＣＰＵ１９へ送る。
この同期外れ検出部を携帯デジタル放送受信機１０に設けることにより、選局放送信号の受信レベルが基準レベルよりも低い場合と同様に、無駄な電力の消費を抑制することができる。
【００３７】
すなわち、携帯デジタル放送受信機１０においては、選局放送信号の同期が外れている場合にも正常な出力（映像・音声出力）が得られないため、ＣＰＵ１９が、同期外れ検出部から同期外れ信号を受け取って、デコーダ手段以降の回路へのクロックの供給を停止することにより、選局放送信号の受信レベルが基準レベルよりも低い場合と同様に、無駄な電力の消費を抑制することができる。
【００３８】
ＭＰＥＧデコーダ１４は、ＴＳ復調復号部１３２からＴＳ信号を入力し、このＴＳ信号から音声信号及び映像データ（音声出力及び映像出力）を再生する。
そして、ＭＰＥＧデコーダ１４は、再生した音声データをスピーカ（図示せず）などへ送って外部出力し、また、映像データをＶＲＡＭ１５へ送って書き込みを実行させる。
【００３９】
この復調器１３のＴＳ復調復号部１３２やＭＰＥＧデコーダ１４には、デジタル信号処理ＬＳＩが用いられる。
このため、ＴＳ復調復号部１３２やＭＰＥＧデコーダ１４は、クロック１８からのクロック信号が停止すると、内部レジスタの値や入出力端子の設定等に代表される内部状態を保持したまま、動作を停止するように構成することができる。
【００４０】
ただし、携帯デジタル放送受信機１０に搭載されるデジタル信号処理ＬＳＩは、消費電力の小さいＣＭＯＳ回路で構成することが望ましい。このＣＭＯＳ回路の消費電力は、動作周波数により増減するため、クロック１８からのクロック信号が停止すると、消費電力は低減する。
なお、本発明においては、ＴＳ復調復号部１３２とＭＰＥＧデコーダ１４とを総称してデコーダ手段Ａという。
【００４１】
ＶＲＡＭ１５には、ＣＰＵ１９の制御により、ＭＰＥＧデコーダ１４からの映像データが書き込まれる。
表示部１６は、ＬＣＤ（Ｌｉｑｕｉｄ  ｃｒｙｓｔａｌ  ｄｉｓｐｌａｙ：液晶ディスプレイ）やＥＬ（Ｅｌｅｃｔｒｏｌｕｍｉｎｅｓｃｅｎｃｅ）などを用いた表示デバイスで構成されており、ＶＲＡＭ１５から取り出した映像データを映像として表示する。
【００４２】
Ａ／Ｄコンバータ１７は、受信強度検出信号をＡ／Ｄ変換して、コントロールバス２１を介しＣＰＵ１９へ送る。
クロック（クロック手段）１８は、各デジタル処理のタイミング基準となるクロック信号（出力信号）を出力する。このクロック１８からの出力信号は、復調器１３のＴＭＣＣ復号部１３１、ＴＳ復調復号部１３２及びＭＰＥＧデコーダ１４等へ送られる。
【００４３】
特に、ＴＳ復調復号部１３２及びＭＰＥＧデコーダ１４へ送られるクロック信号は、ＣＰＵ１９の制御にもとづくスイッチ２２のＯＮ／ＯＦＦ動作により制御される。
このクロック１８からの出力が停止すると、復調器１３のＴＳ復調復号部１３２やＭＰＥＧデコーダ１４は、内部レジスタの値や入出力端子の設定等の内部状態を保持したまま動作を停止する。
【００４４】
ＣＰＵ１９は、受信強度監視処理を行う。
受信強度監視処理とは、ＣＰＵ１９において、チューナ１１で入力された放送波の受信強度を定期的に監視し、この監視結果にもとづき、デコーダ手段Ａ以降の回路の動作を停止・再開する処理をいう。
この受信強度監視処理の動作手順については、後述する。
【００４５】
また、ＣＰＵ１９は、指定放送チャンネル信号のチューナ１１への送出、ＴＭＣＣ情報に含まれる伝送パラメータのＴＭＣＣ復号部１３１からの読み出しを実行する。
さらに、ＣＰＵ１９は、スイッチ２２のＯＮ／ＯＦＦを制御するとともに、ＭＰＥＧデコーダ１４からの映像データをＶＲＡＭ１５へ送って記憶（書き込み）をさせる。
なお、本発明において、ＣＰＵ１９及びＡ／Ｄコンバータ１７を制御手段Ｂという。
【００４６】
メモリ２０（記憶手段）は、受信強度監視処理で用いられる基準レベルを記憶（保持）する。
基準レベルとは、変調方式と符号化率との組み合わせ（伝送パラメータ）ごとに設定された閾値であって、デコーダ手段Ａ以降の回路で正常な出力を得るのに最低限必要な放送波の受信レベルを示す値（正常動作下限値）をいう。
【００４７】
変調方式とは、無線通信においては、送信側が伝送すべき信号波（本発明においては放送波）をその電圧により搬送波の位相、振幅あるいは周波数のいずれかの変化に変換する方式をいう。
この変調方式は、デジタル放送で使用されており、通常、放送チャンネルや番組内容により異なる。
【００４８】
符号化率とは、情報ブロックの長さを符号ブロックの長さで割った値をいう。たとえば、符号化率が「１」の場合は、情報ブロックの長さと符号ブロックの長さとが等しいことを示す。この場合、伝送中に１ビットの誤りが発生しても別の情報を表すことになる。
【００４９】
なお、信頼性の向上を図るためには冗長ビットを加えて符号化率を低くしなければならないが、同じ復号誤り率のもとでは、符号化率が高く、かつ理論的な処理や回路の実現が容易な符号が優れた符号といえる。
また、基準レベルを、変調方式及び符号化率の組み合わせ（伝送パラメータ）ごとに設定する具体例については、後述する。
【００５０】
コントロールバス２１は、チューナ１１，復調器１３，ＭＰＥＧデコーダ１４，Ａ／Ｄコンバータ１７及びＣＰＵ１９をそれぞれ接続する。
このコントロールバス２１は、デバイスごとに異なるアドレスを用いてデバイスを識別し、データ送受信するシリアル又はパラレルの双方向バスである。
このコントロールバス２１は、ＣＰＵ１９からチューナ１１へ、指定放送チャンネル信号を送る。
【００５１】
スイッチ２２は、ＣＰＵ１９により、そのＯＮ／ＯＦＦが制御される。
このスイッチ２２のＯＮ／ＯＦＦがＣＰＵ１９で制御されることにより、ＴＳ復調復号部１３２及びＭＰＥＧデコーダ１４へのクロック信号の供給が制御される。
このため、ＣＰＵ１９の受信強度監視処理において、選局放送信号の受信レベルが基準レベルを下回っていると判断された場合には、クロック信号の供給が止められることから、デコーダ手段Ａ以降の回路の動作が停止する。したがって、携帯デジタル放送受信機１０は、正常な出力が得られない場合の無駄な電力の消費を抑制できる。
【００５２】
次に、本実施形態の携帯デジタル放送受信機における放送波の受信から映像・音声の出力までの動作について、図１を参照して説明する。
アンテナ１２で受信された放送波が、受信放送波として、チューナ１１へ送られる。この受信放送波の入力にもとづき、チューナ１１において、ＣＰＵ１９から指定放送チャンネル信号が受け取られる。
【００５３】
このチューナ１１において、指定放送チャンネル信号により指定された放送チャンネルの信号が、受信放送波から選局され、選局放送信号として、復調器１３へ送られる。
さらに、チューナ１１において、選局放送信号の受信強度が検出され、この検出された受信強度に対応する電圧が、受信強度検出信号として、Ａ／Ｄコンバータ１７へ送られる。
【００５４】
復調器１３のＴＭＣＣ復号部１３１において、チューナ１１からの選局放送信号が入力される。さらに、この入力された選局放送信号からＴＭＣＣ情報が復号され、ＴＳ復調復号部１３２へ供給される。
ＴＳ復調復号部１３２において、チューナ１１からの選局放送信号が入力される。そして、ＴＭＣＣ復号部１３１からのＴＭＣＣ情報に含まれる変調方式情報にもとづいて復調方式が切り替えられ、選局放送信号からＴＳ信号が復号される。
なお、このＴＳ復調復号部１３２のＴＭＣＣ情報は、コントロールバス２１を介してＣＰＵ１９が読み取ることもできる。
【００５５】
ＴＳ復調復号部１３２で復号されたＴＳ信号が、ＭＰＥＧデコーダ１４へ送られる。
このＭＰＥＧデコーダ１４において、ＴＳ信号から音声信号と映像データとが再生される。なお、これらのうち映像データは、ＶＲＡＭ１５に書き込まれ、表示部１６で映像として表示される。
【００５６】
次に、ＣＰＵにおける受信強度監視処理について、図２を参照して説明する。同図は、制御手段Ｂにおいて実行される受信強度監視処理の動作手順を示すフローチャートである。
メモリ２０には、受信強度監視処理で使用される基準レベルが記憶されている。この基準レベルは、デジタル放送で使用される複数の変調方式と符号化率との組合せ（伝送パラメータ）に対して、ＭＰＥＧデコーダ１４以降の回路で正常な出力を得るために必要な受信強度の値（受信レベルの値）がそれぞれ設定されている。
【００５７】
ＣＰＵ１９において、コントロールバス２１を介し復調器１３のＴＭＣＣ復号部１３１からＴＭＣＣ情報が送られてくると、このＴＭＣＣ情報から、現在選局中の放送チャンネルで使用されている変調方式及び符号化率が読み取られる（ステップ１０）。
この読み取られた変調方式と符号化率との組合せ（伝送パラメータ）に対応する基準レベルが、メモリ２０から取り出される（ステップ１１）。
【００５８】
また、チューナ１１からの受信強度検出信号（選局放送信号の受信レベル）が、Ａ／Ｄコンバータ１７でＡ／Ｄ変換され、コントロールバス２１を介してＣＰＵ１９へ送られ、入力される（ステップ１２，ステップ１３）。
そして、ＣＰＵ１９において、受信強度検出信号の示す受信レベルの値が、メモリ２０から取り出した基準レベルの値よりも大きいか否かが判断される（ステップ１４）。
【００５９】
判断の結果、受信レベルの値が基準レベルの値よりも小さい場合には、スイッチ２２がＯＦＦにされる（ステップ１５）。
これにより、復調器１３のＴＳ復調復号部１３２及びＭＰＥＧデコーダ１４へのクロック信号の供給が停止される。このため、受信レベルが低く十分な出力が得られない場合におけるデコーダ手段Ａ以降の回路での無駄な電力の消費を抑制できる。
【００６０】
一方、受信レベルの値が基準レベルの値よりも大きい場合には、スイッチ２２がＯＮにされる（ステップ１６）。
これにより、復調器１３のＴＳ復調復号部１３２及びＭＰＥＧデコーダ１４へのクロック信号の供給が継続（スイッチ２２がＯＦＦにされていた場合には再開）される。
【００６１】
これら一連の受信強度監視処理は、放送受信中に一定時間、たとえば、０．５秒ごとに実行される。
なお、デコーダ手段Ａに用いられるＣＭＯＳ回路の消費電力は、動作周波数にもとづいて増減するため、クロック信号の供給が停止すると消費電力は低減する。
【００６２】
また、受信強度監視処理とは異なるが、ＴＭＣＣ情報を読み取った際に必要な階層での放送が行われていなかった場合には、受信レベルの値が基準レベルの値よりも小さい場合と同様にスイッチ２２をＯＦＦし、復調器１３のＴＳ復調復号部１３２及びＭＰＥＧデコーダ１４へのクロック信号の供給を停止して、デコーダ手段Ａの消費電力を低減することができる。
さらに、必要な階層での放送が行われていない場合や、受信レベルの値が基準レベルの値よりも小さい場合、別途ＣＰＵ１９から、放送が行われていない、あるいは、受信レベルが小さいという内容の表示データをＶＲＡＭ１５に書き込み、表示部１６に表示させてもよい。
【００６３】
次に、変調方式及び符号化率の組合せ（伝送パラメータ）と、この伝送パラメータごとに設定された基準レベルについて説明する。
地上波デジタル放送においては、階層伝送方式が用いられ、固定受信、移動体、携帯のそれぞれの受信形態に対して別の階層で放送サービスを行うことになっている。そして、階層ごとに使用可能な伝送パラメータを複数規定することになっている。
【００６４】
伝送パラメータには、変調方式及び符号化率が含まれている。
地上波デジタル放送における変調方式には、たとえば、ＤＱＰＳＫ，ＱＰＳＫ，１６ＱＡＭ，６４ＱＡＭの四種類がある。
これらのうち、ＤＱＰＳＫ及びＱＰＳＫは、位相変調に関するもの、１６ＱＡＭ及び６４ＱＡＭは、多値直交振幅変調に関するものである。
【００６５】
また、畳み込み符号の符号化率としては、１／２，２／３，３／４，５／６，７／８の五種類が規定されている。
これらは、それぞれ伝送容量とエラーフリーで復号可能な所要Ｃ／Ｎ値（搬送波電力（Ｃ）と雑音電力（Ｎ）の比）が異なっている。
【００６６】
伝送容量は、変調方式では、ＤＱＰＳＫ＜ＱＰＳＫ＜１６ＱＡＭ＜６４ＱＡＭの順で大きくなり、また、符号化率では、（１／２）＜（２／３）＜（３／４）＜（５／６）＜（７／８）の順で大きくなる。
同様に、エラーフリーで復号可能な所要Ｃ／Ｎ値もこれらの順で大きくなる。ただし、所要Ｃ／Ｎ値が大きいときは、特定の装置と受信環境とを考慮した場合、大きな受信レベルが必要となる。
【００６７】
これら変調方式と符号化率との組合せ（伝送パラメータ）に対してそれぞれ設定されている基準レベルの例を図３に示す。
同図に示すように、変調方式と符号化率との組合せは、２０通りであり、各組合せごとに基準レベルが設定されている。
【００６８】
ただし、同図に示した２０通りの組合せは、理論上想定され得る組合せである。
このため、実際に本発明の携帯デジタル放送受信機を利用する場合には、同図に示した組合せのすべてに対して基準レベルを設定しておく必要はなく、たとえば、その携帯デジタル放送受信機で現実に受信可能な放送波についての変調方式と符号化率との組合せに対してのみ基準レベルを設定しておくこともできる。
【００６９】
このような基準レベルの設定（すなわち、同図に示した組合せのうちの一部に対してのみ基準レベルを設定すること）が実行される可能性は、現在までの各企業や放送局等における実験結果及び文献発表等によって裏付けられる。
たとえば、携帯受信において安定した放送サービスを可能とするのは、変調方式については、ＤＱＰＳＫ，ＱＰＳＫ，１６ＱＡＭの三種類までであり、また、畳み込み符号の符号化率については、１／２，２／３，３／４の三種類のあたりまでであることが、それら実験結果等において明らかにされている。
【００７０】
したがって、本発明の携帯デジタル放送受信機を実際の放送サービスで利用する場合、基準レベルの設定の範囲は、その放送サービスで用いられる変調方式と符号化率との組合せの範囲となる。
なお、上記の変調方式及び符号化率の各種類は、地上波デジタル放送において用いられている種類である。このため、本発明の携帯デジタル放送受信機を他のデジタル放送で利用する場合には、変調方式及び符号化率の種類、これら種類の組合せ、及び各組合せに設定される基準レベルは、図３に示すものとは異なってくる。
【００７１】
［第二実施形態］
次に、本発明の携帯デジタル放送受信機の第二の実施形態について、図４を参照して説明する。
同図は、本実施形態の携帯デジタル放送受信機の内部構成を示すブロック図である。
【００７２】
本実施形態は、第一実施形態と比較して、Ａ／Ｄコンバータに代えて、制御手段にＤ／Ａコンバータ及び電圧比較器を新たに設けた点が相違する。すなわち、第一実施形態では、受信レベルと基準レベルとの比較をＣＰＵで実行していたのに対し、本実施形態では、その比較をＤ／Ａコンバータ及び電圧比較器を用いて実行する。他の構成要素は第一実施形態と同様である。
したがって、図４において、図１と同様の構成部分については同一の符号を付して、その詳細な説明を省略する。
【００７３】
図４に示すように、携帯デジタル放送受信機１０は、制御手段Ｂにおいて、Ｄ／Ａコンバータ２３と、電圧比較器２４とを有している。
ここで、Ｄ／Ａコンバータ２３は、コントロールバス２１を介してＣＰＵ１９から基準レベルを入力して設定する。
【００７４】
電圧比較器２４（電圧比較部）は、チューナ１１から受信強度検出信号を、また、Ｄ／Ａコンバータ２３から基準レベルをそれぞれ受け取る。
そして、電圧比較器２４は、受信強度検出信号の示す受信レベルの値が、Ｄ／Ａコンバータ２３の出力である基準レベルの値よりも大きいか否かを判断し、この判断の結果にもとづき、スイッチ２２のＯＮ／ＯＦＦを制御する。
【００７５】
たとえば、受信レベルの値が基準レベルの値よりも小さい場合は、電圧比較器２４は、スイッチ２２をＯＦＦにする。これにより、復調器１３のＴＳ復調復号部１３２及びＭＰＥＧデコーダ１４へのクロック信号の供給が停止される。
一方、受信レベルの値が基準レベルの値よりも大きい場合は、スイッチ２２をＯＮにする。これにより、復調器１３のＴＳ復調復号部１３２及びＭＰＥＧデコーダ１４へのクロック信号の供給が継続（再開）される。
なお、本実施形態において、ＣＰＵ１９は、Ｄ／Ａコンバータ２３で設定される基準レベルの値を、変調方式等の変更に応じて更新する。
【００７６】
次に、本実施形態の携帯デジタル放送受信機における受信強度監視処理の動作について、図５を参照して説明する。
同図は、制御手段Ｂにおいて実行される受信強度監視処理の動作手順を示すフローチャートである。
【００７７】
ＣＰＵ１９において、コントロールバス２１を介し復調器１３のＴＭＣＣ復号部１３１からＴＭＣＣ情報が受け取られ、この受け取られたＴＭＣＣ情報から変調方式及び符号化率が読み取られ（ステップ２０）、さらに、メモリ２０に記憶されている複数の基準レベルの値のうち、その読み取られた変調方式及び符号化率の組合せに対応する基準レベルが取り出される（ステップ２１）。
【００７８】
この取り出された基準レベルが、コントロールバス２１を介して、ＣＰＵ１９からＤ／Ａコンバータ２３へ送られ、Ｄ／Ａ設定される（ステップ２２）。
電圧比較器２４において、Ｄ／Ａコンバータ２３からの基準レベルが入力され、さらに、チューナ１１から受信強度検出信号が入力される（ステップ２３）。この電圧比較器２４において、受信強度検出信号の示す受信レベルの値が、基準レベルの値よりも大きいか否かが判断される（ステップ２４）。
【００７９】
判断の結果、受信レベルの値が基準レベルの値よりも小さい場合には、スイッチ２２がＯＦＦにされる（ステップ２５）。
これにより、復調器１３のＴＳ復調復号部１３２及びＭＰＥＧデコーダ１４へのクロック信号の供給が停止される。このため、受信レベルが低く十分な出力が得られない場合におけるデコーダ手段Ａ以降の回路での無駄な電力の消費を抑制できる。
【００８０】
一方、受信レベルの値が基準レベルの値よりも大きい場合には、スイッチ２２がＯＮにされる（ステップ２６）。
これにより、復調器１３のＴＳ復調復号部１３２及びＭＰＥＧデコーダ１４へのクロック信号の供給が継続（スイッチ２２がＯＦＦにされていた場合には再開）される。
【００８１】
これら一連の受信強度監視処理のうち、ステップ２３からステップ２６までの処理はハードウェアで別途平行して処理されるため、実際にＣＰＵ１９が行うのは伝送パラメータ監視処理（すなわち、ステップ２０からステップ２２までの処理）だけでよい。この伝送パラメータ監視処理は、第一実施形態における受信強度監視処理と同様に、放送受信中に一定期間、たとえば０．５秒ごとに実行される。
携帯デジタル放送受信機をこのような構成とすれば、受信強度の変動によるクロック信号の供給の停止及び再開が、ソフトウェア処理を介さずハードウェアのみで直接実行されるため、第一実施形態に比べて高速処理が可能となる。
【００８２】
［第三実施形態］
次に、本発明の携帯デジタル放送受信機の第三の実施形態について、図６を参照して説明する。
同図は、本実施形態の携帯デジタル放送受信機の内部構成を示すブロック図である。
【００８３】
本実施形態は、第二実施形態と比較して、ＴＭＣＣ復号部からＣＰＵへ割り込み信号を送る点が相違する。すなわち、第二実施形態では、ＣＰＵが、一定時間ごとに復調器からＴＭＣＣ情報を入力し、この入力したＴＭＣＣ情報の示す変調方式及び符号化率を認識していたのに対し、本実施形態では、ＣＰＵが、そのＴＭＣＣ情報の示す変調方式及び符号化率を認識した後、放送受信中に変更された変調方式及び符号化率を割り込み信号にもとづいて認識する点で異なる。他の構成要素は第二実施形態と同様である。
したがって、図６において、図４と同様の構成部分については同一の符号を付して、その詳細な説明を省略する。
【００８４】
図６に示すように、携帯デジタル放送受信機１０は、ＴＭＣＣ復号部１３１とＣＰＵ１９と接続する接続線を有し、この接続線によりＴＭＣＣ復号部１３１からＣＰＵ１９へ割り込み信号を送る。
この割り込み信号は、放送チャンネルの変更や番組内容により変調方式あるいは符号化率が変更されたことを示す。
【００８５】
次に、本実施形態の携帯デジタル放送受信機における動作手順について、図６を参照して説明する。
アンテナ１２で受信された放送波が、チューナ１１で選局され、この選局放送信号が、復調器１３で復調される。そして、ＭＰＥＧデコーダ１４において、その復調にもとづくＴＳ信号から音声データと映像データとが取り出されて出力される。
【００８６】
また、ＣＰＵ１９においては、復調器１３からＴＭＣＣ情報が受け取られ、このＴＭＣＣ情報の示す変調方式及び符号化率の組合せ（伝送パラメータ）が確認される。そして、この伝送パラメータに対応する基準レベルがメモリ２０から取り出されて、Ｄ／Ａコンバータ２３へ送られてＤ／Ａ設定される。
電圧比較器２４において、Ｄ／Ａコンバータ２３から基準レベルが、チューナ１１から受信強度検出信号がそれぞれ受け取られる。そして、受信強度検出信号の示す受信レベルの値が基準レベルの値よりも大きいか否かが判断される。
【００８７】
判断の結果、受信レベルの値が基準レベルの値よりも小さいときは、電圧比較器２４の制御により、スイッチ２２がＯＦＦにされる。これにより、デコーダ手段Ａへのクロック信号の供給が停止される。
一方、受信レベルの値が基準レベルの値よりも大きいときは、電圧比較器２４の制御により、スイッチ２２がＯＮにされる（あるいは、スイッチ２２のＯＮ状態が継続される）。
【００８８】
ところで、チューナ１１で選局されていた放送チャンネルの信号が他の放送チャンネルの信号へ変更された場合、あるいはその選局されていた放送チャンネルにおける番組が他の番組へ移行した場合などにおいては、変調方式あるいは符号化率などの伝送パラメータが切り替わることがある。
ＴＭＣＣ復号部１３１において、選局放送信号の示す変調方式あるいは符号化率が切り替わったことが確認されると、このＴＭＣＣ復号部１３１からＣＰＵ１９へ、その切り替わった旨を示す割り込み信号が送られる。
【００８９】
ＣＰＵ１９において、受け取った割り込み信号にもとづき、変調方式あるいは符号化率などが切り替わったことが確認されると、さらに、ＴＭＣＣ復号部１３１からＣＰＵ１９へ、ＴＭＣＣ情報が新たに送られる。
そして、このＣＰＵ１９において、新たなＴＭＣＣ情報から、現在選局中の放送チャンネル（新たな放送チャンネル）で使用されている変調方式及び符号化率が読み取られる。
【００９０】
この読み取られた変調方式と符号化率との組合せ（伝送パラメータ）に対応する基準レベルが、メモリ２０から取り出され、コントロールバス２１を介し、ＣＰＵ１９からＤ／Ａコンバータ２３へ送られて、Ｄ／Ａ設定される。
さらに、電圧比較器２４において、チューナ１１からの受信強度検出信号の示す受信レベルの値が、Ｄ／Ａコンバータ２３からの基準レベルの値より大きいか否かが判断され、この判断の結果にもとづいて、スイッチ２２の切替制御が実行される。
【００９１】
このような構成によれば、選局放送信号の変調方式あるいは符号化率などが切り替わると、この切り替わった旨を示す割り込み信号が、ＴＭＣＣ復号部１３１からＣＰＵ１９へ送られるため、ＣＰＵ１９は、定期的に変調方式等を監視する必要がなくなる。
したがって、ＣＰＵ１９における制御処理（特に、受信強度監視処理）の高速化・効率化を図ることができる。
【００９２】
なお、本実施形態においては、Ｄ／Ａコンバータ２３及び電圧比較器２４を用いて受信強度監視処理を実行しているが、Ｄ／Ａコンバータ２３及び電圧比較器２４を用いる場合に限るものではなく、たとえば、第一実施形態と同様にＣＰＵ１９において受信強度監視処理を実行させることもできる。
また、本発明の携帯デジタル放送受信機は、第一実施形態、第二実施形態及び第三実施形態のそれぞれにおける携帯デジタル放送受信機を任意に組み合わせたものであってもよい。
【００９３】
【発明の効果】
以上のように、本発明によれば、受信された放送波の受信レベルを、変調方式と符号化率などの組み合わせである伝送パラメータごとに設定された必要最低限の受信レベル（基準レベル）と比較し、この比較の結果、受信レベルが基準レベルよりも小さい場合に、デコーダ手段以降の回路へのクロックの供給が停止されるため、環境変化等による受信状態の悪化にともなって正常な音声・映像出力が得られない場合に、内部回路における無駄な電力消費の抑制を可能とする。
【００９４】
また、デコーダ手段以降の回路の動作制御を、電源のＯＮ／ＯＦＦではなく、クロック信号の供給の継続・停止によって実行するため、デコーダ手段を構成するデジタル信号処理ＬＳＩの内部状態を保持したまま、そのデコーダ手段の動作の停止を実行できる。
したがって、放送波の（受信強度）受信レベルが回復し、デコーダ手段以降の回路の動作が再開されたときの設定処理を必要としないことから、簡易な構成で、音声・映像出力の復帰時間を短縮できる。
【００９５】
さらに、基準レベルが伝送パラメータごとに設定され、かつ、選局放送信号の伝送パラメータが切り替えられた旨を示す割り込み信号が制御手段へ通知されるため、携帯デジタル放送受信機の制御手段は、その切り替えにもとづく新たな伝送パラメータに対応した基準レベルを用いて、選局放送信号の受信レベルとの比較処理を実行し、デコーダ手段へのクロック信号の供給を制御できる。
【図面の簡単な説明】
【図１】本発明の第一実施形態における携帯デジタル放送受信機の内部構成を示すブロック図である。
【図２】本発明の第一実施形態における携帯デジタル放送受信機の動作を示すフローチャートである。
【図３】変調方式と符号化率との各組合せに設定された基準レベルを示す図表である。
【図４】本発明の第二実施形態における携帯デジタル放送受信機の内部構成を示すブロック図である。
【図５】本発明の第二実施形態における携帯デジタル放送受信機の動作を示すフローチャートである。
【図６】本発明の第三実施形態における携帯デジタル放送受信機の内部構成を示すブロック図である。
【符号の説明】
１０  携帯デジタル放送受信機
１１  チューナ
１２  アンテナ
１３  ＯＦＤＭ復調器（復調器）
１３１  ＴＭＣＣ復号部
１３２  ＴＳ復調復号部
１４  ＭＰＥＧデコーダ
１５  ＶＲＡＭ
１６  表示部
１７  Ａ／Ｄコンバータ
１８  クロック
１９  ＣＰＵ
２０  メモリ
２１  コントロールバス
２２  スイッチ
２３  Ｄ／Ａコンバータ
２４  電圧比較器
Ａ  デコーダ手段
Ｂ  制御手段
【図１】
0003651434.tif 000002
【図２】
0003651434.tif 000003
【図３】
0003651434.tif 000004
【図４】
0003651434.tif 000005
【図５】
0003651434.tif 000006
【図６】
0003651434.tif 000007